(57)【要約】【課題】発光表示部からの光によるユーザーへの不快感をなくすことができる無線ＬＡＮルーターを提供することを課題とする。【解決手段】外部機器との通信を制御するための制御装置であって、動作状況に応じて発光状態が変化する発光装置を有する制御装置と、前記制御装置を内装する筐体２であって、前記発光装置の光を外部に通すように構成される発光表示部を有する筐体２と、前記筐体２に着脱可能であり、且つ前記筐体に装着された状態で前記発光表示部を覆うように構成されるカバー３と、を備えている無線ＬＡＮルーター１。【選択図】図１
2019145949.tif 000002
【特許請求の範囲】
【請求項１】
外部機器との通信を制御するための制御装置であって、動作状況に応じて発光状態が変化する発光装置を有する制御装置と、
前記制御装置を内装する筐体であって、前記発光装置の光を外部に通すように構成される発光表示部を有する筐体と、
前記筐体に着脱可能であり、且つ前記筐体に装着された状態で前記発光表示部を覆うように構成されるカバーと、を備えている無線ＬＡＮルーター。
【請求項２】
前記カバーには、装着されている前記筐体の外面と対向する裏面が含まれ、
該裏面には、無線ＬＡＮルーターの設定に関する情報を表示する設定情報表示部が設けられる請求項１に記載の無線ＬＡＮルーター。
【請求項３】
前記カバーは、前記筐体に対してスライド操作可能であり、
且つ該スライド操作により前記筐体に着脱するように構成される、請求項１又は請求項２に記載の無線ＬＡＮルーター。
【請求項４】
前記筐体には、
前記カバーの前記スライド操作をガイドするガイド溝と、
該ガイド溝と前記筐体の内部とに連通する連通孔とが形成されている、請求項３に記載の無線ＬＡＮルーター。
【発明の詳細な説明】
【技術分野】
【０００１】
本発明は、パソコン等の電子機器を通信回線に無線接続するための無線ＬＡＮルーターに関する。
【背景技術】
【０００２】
従来、無線ＬＡＮルーターの筐体には、外部機器との通信状況等の動作に関する情報を光で表示する発光表示部が設けられている。
【０００３】
例えば、特許文献１に開示されている無線ＬＡＮルーター（第１の通信装置）の発光表示部（報知部）は、無線ＬＡＮを構成するために必要な情報を子機（第２の通信装置）と共有する準備が整った際に発光するように構成されており、ユーザーが発光状態を確認することで前記準備が整っているか否かを把握できるようになっている。
【先行技術文献】
【特許文献】
【０００４】
【特許文献１】特開２０１２−１４７１５９号公報
【発明の概要】
【発明が解決しようとする課題】
【０００５】
ところで、無線ＬＡＮルーターには、一般的に、外部の機器との通信状態を表示するための発光表示部も設けられているが、この発光表示部は、通信状態の変化に応じて絶えず点滅しているため、ユーザーにとっては目障りであり、不快感をおぼえることがある。なお、かかる問題は、通信状態とは別の情報を表示するための発光表示部（例えば、上記特許文献１の報知部としての発光表示部等）においても同様に起こり得る。
【０００６】
そこで、本発明は、かかる実情に鑑み、発光表示部からの光によるユーザーへの不快感をなくすことができる無線ＬＡＮルーターを提供することを課題とする。
【課題を解決するための手段】
【０００７】
本発明の無線ＬＡＮルーターは、
外部機器との通信を制御するための制御装置であって、動作状況に応じて発光状態が変化する発光装置を有する制御装置と、
前記制御装置を内装する筐体であって、前記発光装置の光を外部に通すように構成される発光表示部を有する筐体と、
前記筐体に着脱可能であり、且つ前記筐体に装着された状態で前記発光表示部を覆うように構成されるカバーと、を備えている。
【０００８】
上記構成の無線ＬＡＮルーターによれば、筐体にカバーが装着されると、該カバーによって発光表示部が覆われる。従って、前記無線ＬＡＮルーターは、発光表示部の光をカバーで遮ってユーザーの目に届かないようにすることができる。
【０００９】
本発明の無線ＬＡＮルーターにおいて、
前記カバーには、装着されている前記筐体の外面と対向する裏面が含まれ、
該裏面には、無線ＬＡＮルーターの設定に関する情報を表示する設定情報表示部が設けられていてもよい。
【００１０】
上記構成の無線ＬＡＮルーターによれば、カバーの裏面を見れば、無線ＬＡＮルーターの設定情報を確認したり、共有したりすることができる。
【００１１】
また、本発明の無線ＬＡＮルーターにおいて、
前記カバーは、前記筐体に対してスライド操作可能であり、
且つ該スライド操作により前記筐体に着脱するように構成されていてもよい。
【００１２】
かかる構成によれば、簡単な操作で筐体に対してカバーを着脱することが可能となる。
【００１３】
この場合、前記筐体には、
前記カバーの前記スライド操作をガイドするガイド溝と、
該ガイド溝と前記筐体の内部とを連通させる連通孔とが形成されていてもよい。
【００１４】
上記構成の無線ＬＡＮルーターによれば、連通孔を通じて筐体の内外が連通するため、筐体内に発生した熱を連通孔を通じて外部に逃がすことができる。
【発明の効果】
【００１５】
以上のように、本発明の無線ＬＡＮルーターは、ユーザーに対して発光表示部からの光による不快感を与えないようにすることができるという優れた効果を奏し得る。
【図面の簡単な説明】
【００１６】
【図１】図１は、本発明の一実施形態に係る無線ＬＡＮルーターの前面側の斜視図である。
【図２】図２は、同実施形態に係る無線ＬＡＮルーターの背面側の斜視図である。
【図３】図３は、同実施形態に係る無線ＬＡＮルーターの筐体の斜視図である。
【図４】図４は、図１のＩＶ−ＩＶ線における断面図である。
【図５】図５は、図４の領域Ｖの拡大図である。
【図６】図６は、同実施形態に係る無線ＬＡＮルーターの筐体の下端部の拡大図である。
【図７】図７は、同実施形態に係る無線ＬＡＮルーターのカバーの正面図である。
【図８】図８は、同実施形態に係る無線ＬＡＮルーターのカバーの背面図である。
【図９】図９は、図８に示すカバーの平面図である。
【図１０】図１０は、同実施形態に係る無線ＬＡＮルーターにカバーを装着している状態の説明図である。
【図１１】図１１は、同実施形態に係る無線ＬＡＮルーターの筐体の背面部にスタンドを取り付けた状態の説明図である。
【発明を実施するための形態】
【００１７】
以下、本発明の一実施形態に係る無線ＬＡＮルーターについて、添付図面を参照しつつ説明を行う。無線ＬＡＮルーターは、パソコン等の電子機器を通信回線に無線接続するために用いるものである。
【００１８】
無線ＬＡＮルーターは、図１に示すように、外部機器との通信を制御するための制御装置であって、動作状況に応じて発光状態が変化する発光装置を有する制御装置（図示しない）と、制御装置を内装する筐体２と、筐体２の外面に着脱可能なカバー３と、を備えている。
【００１９】
制御装置の発光装置には、無線ＬＡＮルーター１の電源の入切状態に応じて発光状態が変化する入切表示用発光部と、無線ＬＡＮルーター１の動作状態（例えば、外部機器との通信状態等）に応じて発光状態が変化する状態表示用発光部とが含まれている。
【００２０】
筐体２は、図３に示すように、制御装置の動作状態を表示するための表示面部２０と、外部機器を有線接続するための接続口Ｈが形成された接続面部２１（図２参照）とを有する。
【００２１】
筐体２は、箱状であり、外面全体のうちの一面が制御装置の動作状態を表示するための表示面部２０となり、表示面部２０を構成する一面とは別の一面が接続面部２１となっている。
【００２２】
より具体的に説明すると、筐体２は、角筒状の胴部２２と、該胴部２２の一方の開口を塞ぐ天板部２３と、該胴部２２の他方の開口を塞ぐ底板部（図示しない）と、を有する。
【００２３】
そして、胴部２２は、図４に示すように、表示面部２０を正面から見た状態、すなわち、表示面部２０を構成する一面を正面部２４とした場合において、該表示面部２０の後ろ側に位置する背面部２５と、表示面部２０と背面部２５とに連続する一対の横面部２６であって、互いに対向する一対の横面部２６と、を有する。
【００２４】
上述の接続面部２１は、一対の横面部２６のうちの一方の横面部２６により構成されている。
【００２５】
なお、本実施形態では、表示面部２０を正面から見た場合における横幅に対応する方向（すなわち、一対の横面部２６が並ぶ方向）を横幅方向、表示面部２０を正面から見た場合における縦幅に対応する方向を縦幅方向、表示面部２０と背面部２５とが並ぶ方向を前後方向と称して以下の説明を行うこととする。
【００２６】
表示面部２０は、図５に示すように、最も外側（前記前後方向において最も手前側）に位置する外側正面部２４０と、該外側正面部２４０よりも内側（すなわち、外側正面部２４０よりも背面部２５側）に位置ずれしている内側正面部２４１と、外側正面部２４０と内側正面部２４１との間に連続する連設部（以下、正面連設部と称する）２４２と、正面段部２４３（図３、図６参照）と、を有する。
【００２７】
外側正面部２４０では、前記横幅方向における一端部（外端部）が前記一方の横面部２６に連続している。外側正面部２４０の前記横幅方向における他端部（内端部）は、内側正面部２４１に対して手前側で重なる位置に配置されており、該内側正面部２４１に対して前記前後方向で間隔をあけて対向している。
【００２８】
内側正面部２４１には、図３に示すように、発光装置の発光状態を外部から視認できるようにするための発光表示部２４１ａが設けられている。本実施形態では、前記縦幅方向に沿って並ぶように複数の発光表示部２４１ａが設けられている。
【００２９】
複数の発光表示部２４１ａのうち、前記縦幅方向における最も下方側に位置するものは、入切表示用発光部の光を外部に通すための入切表示部２４１ｂであり、該入切表示部２４１ｂの上方の各発光表示部２４１ａは、状態表示用発光部の光を外部に通すための状態表示部２４１ｃである。
【００３０】
そのため、無線ＬＡＮルーター１は、入切表示部２４１ｂを目視することで無線ＬＡＮルーター１が起動しているか否かを把握することができ、また、状態表示部２４１ｃを目視することで無線ＬＡＮルーター１の外部機器との通信状態等の動作状態を把握することができる。
【００３１】
なお、発光表示部２４１ａ（入切表示部２４１ｂ、及び状態表示部２４１ｃ）は、例えば、内側正面部２４１の一部を透明とするか、透光性をもたせることによって構成されていてもよいし、内側正面部２４１に形成された貫通孔により構成されていてもよい。
【００３２】
内側正面部２４１では、図５に示すように、前記横幅方向における一端部（外端部）が前記一対の横面部２６のうちの他方の横面部２６に連続している。そして、前記横幅方向における内側正面部２４１の他端部（内端部）は、上述のように、前記前後方向で外側正面部２４０の前記内端部と対向している。
【００３３】
正面連設部２４２は、内側正面部２４１の前記内端部と、外側正面部２４０の前記内端部とに連続するように形成されており、また、前記縦幅方向に沿って真っ直ぐに延びている。
【００３４】
外側正面部２４０の前記内端部は、正面連設部２４２から前記横幅方向で延出（内側正面部２４１の前記外端部側に向かって延出）している。
【００３５】
そのため、本実施形態に係る表示面部２０には、正面連設部２４２を底面とし、外側正面部２４０の前記内端部の後面と、内側正面部２４１の前記内端部の前面とをそれぞれ側面とする正面溝２４４が形成されており、該正面溝２４４は、前記縦幅方向に沿って真っ直ぐに延びている。
【００３６】
また、正面溝２４４は、表示面部２０の前記縦幅方向における一端（上端）で上方に向けて開放する一方で、表示面部２０の前記縦幅方向における他端（下端）で閉塞されている。
【００３７】
正面溝２４４の内面には、図３に示すように、筐体２の内外を連通させる連通孔２４５が形成されている。また、本実施形態では、内側正面部２４１の前記内端部の前記縦幅方向における全長に亘って、複数の連通孔２４５が前記縦幅方向において所定の間隔毎に形成されている。
【００３８】
正面段部２４３は、内側正面部２４１の下端部に設けられており、前記横幅方向における内側正面部２４１の下端部の全長に亘って延びている。また、正面段部２４３は、内側正面部２４１の外面から前記前後方向における前方側に向かって突出している。
【００３９】
図２に示すように、前記一方の横面部２６の接続口Ｈは、例えば、ＬＡＮケーブル等のケーブルの端末を抜差可能に構成されたものである。
【００４０】
前記他方の横面部２６は、図５に示すように、最も外側に配置される外側横面部２６０と、該外側横面部２６０よりも内側（すなわち、外側横面部２６０よりも接続面部２１側）に位置ずれしている内側横面部２６１と、外側横面部２６０と内側横面部２６１との間に連続する連設部（以下、横面連設部称する）２６２と、横面段部２６３（図３、図６参照）と、を有する。
【００４１】
外側横面部２６０では、前記横幅方向における一端部（後端部）が背面部２５に連続しており、前記横幅方向における他端部（前端部）が内側横面部２６１に対して前記横幅方向で間隔をあけて対向している。
【００４２】
内側横面部２６１では、前記前後方向における一端部（前端部）が表示面部２０（内側正面部２４１の前記外端）に連続している。そして、前記横幅方向における内側横面部２６１の他端部（後端部）は、上述のように、前記前後方向で外側横面部２６０の前記前端部と対向している。
【００４３】
前記横幅方向において、前記前端部側が前記後端部側よりも外側に張り出している。
【００４４】
横面連設部２６２は、内側横面部２６１の前記後端部と、外側横面部２６０の前記前端部とに連続するように形成されており、また、前記縦幅方向に沿って真っ直ぐに延びている。
【００４５】
外側横面部２６０の前記前端部は、横面連設部２６２から前記前後方向で延出（内側横面部２６１の前記外端部側に向かって延出）している。
【００４６】
そのため、本実施形態に係る表示面部２０には、横面連設部２６２を底面とし、外側横面部２６０の前記内端部の後面と、内側横面部２６１の前記内端部の前面とをそれぞれ側面とする横面溝２６４が形成されており、該横面溝２６４は、前記縦幅方向に沿って真っ直ぐに延びている。
【００４７】
また、横面溝２６４は、横面部２６の前記縦幅方向における一端（上端）で上方に向けて開放する一方で、表示面部２０の前記縦幅方向における他端（下端）で閉塞されている。
【００４８】
横面段部２６３は、内側横面部２６１の下端部に設けられており、前記前後方向における内側横面部２６１の下端部の全長に亘って延びている。また、横面段部２６３は、内側横面部２６１の外面から前記横幅方向における外方側に向かって突出している。なお、本実施形態においては、正面段部２４３と、横面段部２６３とが一体的に形成されている。
【００４９】
天板部２３と底板部とは前記縦幅方向において対向配置されている。
【００５０】
また、底板部は、図１に示すように、スタンドＳを着脱可能となっており、底板部にスタンドＳを装着すれば、無線ＬＡＮルーター１を立てた状態（前記縦幅方向が上下方向に対応している状態）で配置しておくことができる。
【００５１】
なお、本実施形態では、図１１に示すように、背面部２５にもスタンドＳを着脱可能であり、背面部２５にスタンドＳを装着した場合は、無線ＬＡＮルーター１を横に倒した状態（前記縦幅方向が水平方向に対応している状態）で配置しておくことができる。このように、本実施形態に係る無線ＬＡＮルーター１は、縦置き、若しくは横置きにすることができる。
【００５２】
カバー３は、図１に示すように、筐体２に装着した状態で発光表示部２４１ａ（より具体的には、入切表示用発光部と状態表示用発光部のうちの少なくとも入切表示用発光部）を覆うように構成されている。
【００５３】
本実施形態に係るカバー３は、図７に示すように、筐体２の外面に沿った形状のカバー本体部３０と、前記カバー本体部３０の外周縁部から延出する延出片部３１と、カバー本体部３０に設けられ、且つ無線ＬＡＮルーター１の設定に関する情報を表示するように構成された設定情報表示部３２（図８参照）と、を有する。
【００５４】
カバー本体部３０は、筐体２の角部に沿わせた状態で配置できるように構成されている。
【００５５】
より具体的に説明すると、カバー本体部３０は、図８に示すように、表示面部２０（正面部２４）を覆う正面被覆部３００と、前記他方の横面部２６を覆う横面被覆部３０１と、を有する。
【００５６】
正面被覆部３００は、カバー３が筐体２に装着された状態において、入切表示部２４１ｂを覆うように構成されている。また、正面被覆部３００には、裏面と表面とに亘って貫設された窓部Ｗが形成されている。窓部Ｗは、カバー３が筐体２に装着された状態において、前記前後方向で入切表示部２４１ｂと対応する位置に配置されるように構成されている。
【００５７】
正面被覆部３００と横面被覆部３０１とは長方形状に形成されており、それぞれの長辺の一方が繋がっている。
【００５８】
正面被覆部３００は、カバー３が筐体２に装着された状態において、他方の長辺（横面被覆部３０１に繋がる長辺とは反対側の長辺）の先端面が前記横幅方向において外側正面部２４０と対向するように構成されている。
【００５９】
さらに、本実施形態に係る正面被覆部３００は、下端部の裏面から突出する正面リブ３００ａを有する。
【００６０】
正面リブ３００ａは、正面被覆部３００の下端部の全長に亘って延びている。また、正面リブ３００ａは、カバー３が筐体２に装着された状態において、正面段部２４３上に重なるように構成されている。
【００６１】
また、横面被覆部３０１は、カバー３が筐体２に装着された状態において、他方の長辺（正面被覆部３００に繋がる長辺とは反対側の長辺）の先端面が前記前後方向において外側横面部２６０と対向するように構成されている。
【００６２】
そして、本実施形態に係る横面被覆部３０１は、下端部の裏面から突出する横面リブ３０１ａを有する。
【００６３】
横面リブ３０１ａは、横面被覆部３０１の下端部の全長に亘って延びている。また、横面リブ３０１ａは、カバー３が筐体２に装着された状態において、横面段部２６３上に重なるように構成されている。なお、本実施形態においては、正面リブ３００ａと横面リブ３０１ａとが一体的に形成されている。
【００６４】
延出片部３１には、図８、図９に示すように、正面被覆部３００に設けられる正面側片部３１０と、横面被覆部３０１に設けられる横面側片部３１１と、が含まれる。
【００６５】
正面側片部３１０は、正面被覆部３００の前記他方の長辺の端面に延設されている。また、本実施形態では、複数の正面側片部３１０が所定の間隔をあけて並ぶようにして正面被覆部３００の前記他方の長辺の端面に延設されている。
【００６６】
正面側片部３１０は、正面溝２４４に挿入可能である。また、正面溝２４４に挿入された正面側片部３１０は、前記前後方向において内側正面部２４１の前記内端部と外側正面部２４０の前記内端部とに挟まれた状態になり、正面溝２４４に沿ってスライド可能となる。このように、正面溝２４４は、前記縦幅方向でカバー３（正面側片部３１０）のスライド操作をガイドするためのガイド溝である。
【００６７】
横面側片部３１１は、横面被覆部３０１の前記他方の長辺の端面に延設されている。また、本実施形態では、複数の横面側片部３１１が所定の間隔をあけて並ぶようにして横面被覆部３０１の前記他方の長辺の端面に延設されている。
【００６８】
また、横面側片部３１１は、横面溝２６４に挿入可能である。また、横面溝２６４に挿入された横面側片部３１１は、前記横幅方向において内側横面部２６１の前記後端部と外側横面部２６０の前記前端部とに挟まれた状態になり、横面溝２６４に沿ってスライド可能となる。このように、横面溝２６４は、前記縦幅方向でカバー３（横面側片部３１１）のスライド操作をガイドするためのガイド溝である。
【００６９】
このように、本実施形態では、筐体２の正面溝２４４、横面溝２６４、カバー３の正面側片部３１０、横面側片部、のそれぞれの構成により、筐体２に対するカバー３のスライド操作を可能とするスライド構造を構成している。
【００７０】
本実施形態に係る無線ＬＡＮルーター１は、以上の通りである。本実施形態に係る無線ＬＡＮルーター１によれば、カバー３の正面側片部３１０を正面溝２４４に挿入し、カバー３の横面側片部を横面溝２６４に挿入すれば、筐体２に対してカバー３をスライドさせて装着することができる状態になる（図１０参照）。このとき、正面側片部３１０の外側には外側正面部２４０の前記内端部が位置し、横面側片部の外側には外側横面部２６０の前記前端部が位置するため、筐体２からのカバー３の脱落が防止される。
【００７１】
そして、筐体２にカバー３を取り付けた状態においては、該カバー３により発光表示部２４１ａ（本実施形態では各状態表示用発光部）が覆われる。
【００７２】
従って、本実施形態に係る無線ＬＡＮルーター１によれば、発光表示部２４１ａの光をカバー３で遮ってユーザーの目に届かないようにすることができ、これにより、ユーザーに対して発光表示部２４１ａからの光による不快感を与えないようにすることができるという優れた効果を奏し得る。
【００７３】
また、本実施形態では、カバー３が筐体２に装着されると、正面リブ３００ａと正面段部２４３とが前記縦幅方向で重なり、横面リブ３０１ａと横面段部２６３とが前記縦幅方向で重なるため、正面被覆部３００の下端部と内側正面部２４１の下端部の間の隙間、及び横面被覆部３０１の下端部と内側横面部２６１の下端部の間の隙間が入り組んだ形状になる。従って、カバー３の下端部と内側正面部２４１の下端部、内側横面部２６１の下端部との間からの発光表示部２４１ａの光の漏れを抑えることができる。
【００７４】
さらに、本実施形態の正面被覆部３００は、入切表示部２４１ｂと状態表示部２４１ｃのうちの入切表示部２４１ｂを覆う一方で、窓部Ｗにより入切表示部２４１ｂの前方は開放するように構成されている。そのため、無線ＬＡＮルーター１の使用中において、動作状態に応じて絶えず点滅している状態表示用発光部の光を遮る一方、常時点灯している入切表示用発光部の光はユーザーに見えるようにしておくことで、不快感を抑えつつ、無線ＬＡＮルーター１の電源の入り切り状態（すなわち、無線ＬＡＮルーター１の起動状態）は常に把握できるようになっている。
【００７５】
そして、カバー３は、筐体２に対して着脱可能であり、また、裏面には、無線ＬＡＮルーター１の設定に関する情報を表示する設定情報表示部３２が設けられていているため、筐体２から取り外したカバー３の裏面を見れば、無線ＬＡＮルーター１の設定情報を簡単に確認したり、共有したりすることができる。
【００７６】
なお、筐体２は、接続口Ｈに挿し込まれているＬＡＮケーブル等により動きが制限され易いが、本実施形態に係る無線ＬＡＮルーター１は、設定情報表示部３２が設けられたカバー３を筐体２から完全に取り外すことができるため、無線ＬＡＮルーター１の使用環境によらず、設定情報を簡単に確認することができる。
【００７７】
また、本実施形態の無線ＬＡＮルーター１は、カバー３をスライド操作することで筐体２に対して着脱するように構成されているため、簡単な操作で筐体２に対してカバー３を着脱することができる。
【００７８】
さらに、筐体２に対してカバー３をスライドさせる方向は、接続口Ｈにケーブルを抜き差しする方向から外れた方向（直交する方向）であるため、カバー３のスライド操作に伴い、ケーブルが接続口Ｈから外れてしまう方向に筐体２が引っ張られてしまうことを防止できる。
【００７９】
そして、正面溝２４４の内面には、筐体２の内外を連通させる連通孔２４５が形成されているため、この連通孔２４５を通じて筐体２内の熱を効率よく筐体２の外に逃がすことができる。
【００８０】
また、本実施形態では、複数の連通孔２４５が正面溝２４４の全長（内側正面部２４１の内端部の縦幅方向における全長）に亘って、所定の間隔毎に形成されており、さらに、正面溝２４４内に挿入される複数の正面側片部３１０は、互いの間に間隔をあけて並ぶように形成されているため、連通孔２４５から筐体２の外部に逃げようとする熱が正面側片部３１０によって遮られ難くすることができる。
【００８１】
なお、本発明の無線ＬＡＮルーター１は、上記実施形態に限定されるものではなく、本発明の要旨を逸脱しない範囲内において種々の変更を加え得ることは勿論である。
【００８２】
上記実施形態において、特に言及しなかったが、カバー３は、筐体２に対して回転可能に取り付けられていてもよい。
【００８３】
上記実施形態において、カバー３は、状態表示部２４１ｃと入切表示部２４１ｂのうち、状態表示部２４１ｃのみを覆うように構成されていたが、この構成に限定されない。例えば、カバー３は、状態表示部２４１ｃと入切表示部２４１ｂの両方を覆うように構成されていてもよい。すなわち、カバー３には、窓部Ｗが形成されていなくてもよい。
【００８４】
上記実施形態では、特に言及しなかったが発光装置がＬＣＤで構成されている場合は、カバーでＬＣＤの前面を覆うように構成すればよい。
【００８５】
上記実施形態において、カバー３は、筐体２の角部に沿わせてスライドさせるように構成されていたが、この構成に限定されない。例えば、カバー３は、正面部２４のみに沿わせてスライドさせるように構成されていてもよい。
【符号の説明】
【００８６】
１…無線ＬＡＮルーター、２…筐体、３…カバー、２０…表示面部、２１…接続面部、２２…胴部、２３…天板部、２４…正面部、２５…背面部、２６…横面部、３０…カバー本体部、３１…延出片部、３２…設定情報表示部、２４０…外側正面部、２４１…内側正面部、２４１ａ…発光表示部、２４１ｂ…入切表示部、２４１ｃ…状態表示部、２４２…正面連設部、２４３…正面段部、２４４…正面溝、２４５…連通孔、２６０…外側横面部、２６１…内側横面部、２６２…横面連設部、２６３…横面段部、２６４…横面溝、３００…正面被覆部、３００ａ…正面リブ、３０１…横面被覆部、３０１ａ…横面リブ、３１０…正面側片部、３１１…横面側片部、Ｈ…接続口、Ｓ…スタンド、Ｗ…窓部
【図１】
2019145949.tif 000003
【図２】
2019145949.tif 000004
【図３】
2019145949.tif 000005
【図４】
2019145949.tif 000006
【図５】
2019145949.tif 000007
【図６】
2019145949.tif 000008
【図７】
2019145949.tif 000009
【図８】
2019145949.tif 000010
【図９】
2019145949.tif 000011
【図１０】
2019145949.tif 000012
【図１１】
2019145949.tif 000013